(57)【要約】【課題】外壁の一部を窪ませて形成された玄関上の張り出した部分をコストをかけることなく容易に大きくすることである。【解決手段】建物の外壁１０の一部を窪ませて玄関１１が形成され、前記玄関上部分の外壁１０ａに、該玄関上部分の外壁１０ａより前方に突出して内側が中空の突出壁部３を設ける。この突出壁部４は、水平断面略コ字状の本体部４を有し、本体部４は一対の側壁部４２，４３とこれら一対の側壁部４２，４３間に配置される前壁部４１とからなる。前壁部４１には突出片９，９が形成され、側壁部４２，４３には突出片９，９が掛止される切欠部４７，４７が形成され、突出片９，９が切欠部４７，４７に掛止されることで前壁部４１は一対の側壁部４２，４３間に配置されるとともに支持されている。【選択図】        図１
2004169421.tif 000002
【特許請求の範囲】
【請求項１】
建物の外壁の一部を窪ませて玄関が形成され、
玄関上部分の外壁に、該玄関上部分の外壁より前方に突出して、内側が中空の突出壁部が設けられていることを特徴とする玄関上部分の外壁構造。
【請求項２】
突出壁部は、上下に連続する水平断面略コ字状の本体部を有し、
前記本体部は、基端部が前記玄関上部分の外壁に接合され、該玄関上部分の外壁から前方に突出する一対の側壁部と、
前記一対の側壁部の先端部間に配置され、前記玄関上部分の外壁の外壁面と略平行な表面を有する前壁部とを備え、
前記前壁部の両端部には、前記側壁部の先端部に形成された被掛止部にそれぞれ掛止される掛止部が形成され、
前記前壁部は、前記掛止部が前記被掛止部に掛止されることで前記側壁部に支持されていることを特徴とする請求項１記載の玄関上部分の外壁構造。
【請求項３】
前記掛止部は、前記前壁部の上部両端から側方に突出して形成された突出片であり、前記被掛止部は、前記側壁部の先端部の上面を上方から切り欠かれた形状をなす切欠部であり、
前記突出片は前記切欠部に嵌め込まれることで掛止されていることを特徴とする請求項２記載の玄関上部分の外壁構造。
【請求項４】
前記突出壁部の上端部には、防水パンが取り付けられていることを特徴とする請求項１〜３のいずれか一項に記載の玄関上部分の外壁構造。
【請求項５】
突出壁部の中空部分には、前記防水パンに接続される配管部が配置され、前記突出壁部には前記中空部分と前記突出壁部の外側とを連通し、前記突出壁部の外側から前記防水パンと配管部との接続を可能とする作業口が形成されていることを特徴とする請求項４記載の玄関上部分の外壁構造。
【請求項６】
突出壁部の外面には所定間隔を空けて外装材を取り付けるための胴縁が取り付けられ、
前記作業口は、前記胴縁と略同じ厚みを有する閉塞部材により閉塞されていることを特徴とする請求項５記載の玄関上部分の外壁構造。
【請求項７】
建物の外壁の一部を窪ませて玄関が形成され、
前記玄関上部分の外壁に、該玄関上部分の外壁より前方に突出して、上下に連続する水平断面略コ字状の本体部を有する突出壁部を取り付ける玄関上部分の外壁の施工方法であって、
前記玄関上部分の外壁に、先端部に上方に開口する切欠部が形成された一対の側壁部を、前方に突出するように横方向に互いに離間し且つ対向した状態で接合し、
次いで、これら一対の側壁部の先端部間に、上部両端部に側方に突出する突出片を有する前壁部を、前記突出片を前記先端部上部に形成された切欠部内に掛止させ、その表面を前記玄関上部分の外壁の外壁面と略平行にして配置し、
次いで、これら側壁部と前壁部とを接合することで前記本体部を形成し、
次いで、形成された本体部の下端部に軒天材を取り付けることを特徴とする玄関上部分の外壁の施工方法。
【発明の詳細な説明】
【０００１】
【発明の属する技術分野】
本発明は、玄関上部分の外壁構造及び玄関上部分の外壁の施工方法に関する。
【０００２】
【背景の技術】
従来、２階建ての建物において、２階の床部分の下方の一階部分の外壁の一部を後退させて凹部を設け、この凹部の奧側の壁面に玄関扉を取り付けてなる凹状の玄関を備えたものがある（例えば、特許文献１）。
【０００３】
【特許文献１】
特開平１０−１４０６５５号公報
【０００４】
【発明が解決しようとする課題】
ところで、上記特許文献１において、前記凹状の玄関上部分の外壁からの窪ませる長さ、つまり玄関の上面を構成する２階の床部分の一部、つまり凹状の玄関の奧側の壁から前方に張り出した部分をより長くすることで、玄関を外壁面からさらに奥まった箇所に設けた状態とし、建物自体にボリューム感を与え、一層の高級感を持たせようとする場合がある。
このとき、玄関上に配置される建物躯体部分、すなわち、２階の床部分及び該床部分を支持する梁をさらに前方に延出させる必要があるため、その施工に手間がかかるとともにコストも嵩むという問題があった。
本発明の課題は、外壁の一部を窪ませて形成された玄関上の張り出した部分をコストをかけることなく容易に大きくすることである。
【０００５】
【課題を解決するための手段】
以上の課題を解決するため、請求項１記載の発明は、例えば、図１に示すように、
建物の外壁１０の一部を窪ませて玄関１１が形成され、
前記玄関上部分の外壁（例えば外壁部分１０ａ）に、該玄関上部分の外壁１０ａより前方に突出して、内側が中空の突出壁部３が設けられていることを特徴とする。
【０００６】
請求項１記載の発明によれば、建物の外壁１０の一部を窪ませて玄関１１が形成された玄関上部分の外壁１０ａに、該玄関上部分の外壁１０ａより前方に突出して、内側が中空の突出壁部３が設けられているので、前記突出壁部３は、玄関１１上で前記外壁１０から突出している分、前記建物１における玄関１１上部分の外壁が前方にふかされた状態となり、外壁から窪んでなる玄関上面を構成する部分、すなわち、玄関上の張り出した部分が前方に延出された状態となる。よって、外壁の一部を窪ませて形成された玄関を備える建物において、外壁の一部を後退させて形成された玄関上の張り出した部分を、前記外壁１０ａに前記突出壁部３を設けるだけで、玄関上の建物躯体部分の仕様を何ら変更する必要がなく大きくすることができる。これにより、建物躯体部分の仕様を変更しないので、仕様変更の際のコストが掛からず、玄関上の前方に張り出した部分つまり、前記玄関の上面を構成する部分を大きくして、前記外壁から一層奥まった箇所に玄関を配置させた状態にすることができ、建物自体のボリューム感を持たせ、一層の高級感を有し、重厚な外観を備えた建物とすることができる。
【０００７】
ここで、前記突出壁部は、一部を窪ませて玄関が形成された外壁の、玄関上部分から前方に突出するように設けられたものであれば、どのように設けられても良い。つまり、外壁から窪ませて形成された玄関上の外壁部分から前方に突出壁部が設けられることで、玄関は建物にて、一層奥まった箇所に形成されたものとなり、建物自体に一層の質感を持たせることができる。
【０００８】
請求項２記載の発明は、請求項１記載の玄関上部分の外壁構造において、例えば、図１に示すように、
突出壁部３は、上下に連続する水平断面略コ字状の本体部４を有し、
前記本体部４は、基端部が前記玄関上部分の外壁１０ａに接合され、該玄関上部分の外壁から前方に突出する一対の側壁部４２．４３と、
前記一対の側壁部４２．４３の先端部間に配置され、前記玄関上部分１０ａの外壁面と略平行な表面を有する前壁部４１とを備え、
前記前壁部４１の両端部には、前記側壁部４２，４３の先端部に形成された被掛止部（例えば切欠部４７，４７）にそれぞれ掛止される掛止部（例えば突出片９，９）が形成され、
前記前壁部４１は、前記掛止部９，９が前記被掛止部４７，４７に掛止されることで前記側壁部４２，４３に支持されていることを特徴とする。
【０００９】
請求項２記載の発明によれば、突出壁部３の本体部４が、基端部が前記玄関上部分の外壁１０ａに接合され、該玄関上部分の外壁から前方に突出する一対の側壁部４２．４３と、これら側壁部４３．４３の先端部間に配置され、前記玄関上部分の外壁１０ａの外壁面と略平行な表面を有する前壁部４１とを備え、前記前壁部４１は、前記掛止部９，９が前記被掛止部４７，４７に掛止されることで前記側壁部４２，４３に支持されているので、前記突出壁部３を構築する際には、前記一対の側壁部４２，４３を玄関上部分の外壁１０ａに取り付けた後、前記一対の側壁部４２，４３の被掛止部４７，４７に前記前壁部４１の掛止部９を掛止させるだけで前壁部４１を前記一対の側壁部４２，４３に支持させることができる。
【００１０】
請求項３記載の発明は、請求項２記載の玄関上部分の外壁構造において、例えば、図１に示すように、
前記掛止部９，９は、前記前壁部４１の上部両端から側方に突出して形成された突出片９，９であり、前記被掛止部４７，４７は、前記側壁部４２，４３の先端部の上面を上方から切り欠かれた形状をなす切欠部４７，４７であり、
前記突出片９，９は前記切欠部４７，４７に嵌め込まれることで掛止されていることを特徴とする。
【００１１】
請求項３記載の発明によれば、前記前壁部４１の両端部には、上部両端からそれぞれ側方に突出して形成された突出片９，９が形成され、前記一対の側壁部４２，４３は、前記側壁部４２，４３の先端部の上面を上方から切り欠かれた形状をなす切欠部４７，４７が形成され、前記突出片９，９は前記切欠部４７，４７に嵌め込まれることで掛止されているので、前記前壁部は前記一対の側壁部に、前記突出片９，９を前記切欠部４７，４７に嵌め込むことで前記一対の側壁部４２，４３に支持された状態となる。
つまり、前記玄関上部分の外壁に一対の側壁部４２，４３を取り付け、これら一対の側壁部４２，４３の先端部間に前記前壁部４１を配置する際に前記突出片９，９を前記切欠部４７，４７に嵌め込むことで、前記前壁部の、前記一対の側壁部に対する位置決めが行われて、前記前壁部を前記一対の側壁部間にて正確な箇所に配置させて、前記一対の側壁部に支持させることができる。
【００１２】
請求項４記載の発明は、請求項１〜３のいずれか一項に記載の玄関上部分の外壁構造において、例えば、図５に示すように、
前記突出壁部（例えばフラワーボックス３Ａ）の上端部（例えば、上端開口部３ａ）には、防水パン５１が取り付けられていることを特徴とする。
【００１３】
請求項４記載の発明によれば、前記突出壁部（例えばフラワーボックス３Ａ）の上端部（例えば、上端開口部３ａ）には、防水パン５１が取り付けられているので、防水パン５１の内側に花瓶、鉢物、プランターなどを配置することで前記突出壁部をフラワーボックスとして用いることができる。
よって、建物自体を建物躯体自体を変更するためのコストをかけることなく、質感のある重厚な外観を有するものにすることができるとともに、上端部の防水パンに花等が植えられた花瓶、鉢物、プランターを飾ることで華やかな外観を有するものにすることができる。
【００１４】
請求項５記載の発明は、請求項４記載の玄関上部分の外壁構造において、例えば、図６及び図９に示すように、
突出壁部３Ａの中空部分には、前記防水パン５１に接続される配管部５２が配置され、前記突出壁部３Ａには前記中空部分と前記突出壁部３の外側とを連通し、前記突出壁部３Ａの外側から前記防水パン５１と配管部５２との接続を可能とする作業口３１５が形成されていることを特徴とする。
【００１５】
前記配管部５２は前記防水パン５１に接続されることで、防水パン５１から
排水を突出壁部３Ａ内を通して下方に排出するものである。
【００１６】
請求項５記載の発明によれば、突出壁部３Ａの中空部分には、前記防水パン５１に接続される配管部５２が配置され、前記突出壁部３Ａには前記中空部分と前記突出壁部３Ａの外側とを連通し、前記突出壁部３Ａの外側から前記防水パン５１と配管部５２との接続を可能とする作業口３１５が形成されているので、前記突出壁部３Ａに取り付けられた防水パン５１と該防水パン５１に接続される配管部５２とを前記作業口３１５を介して、前記突出壁部の外側から接続することができる。したがって、内側が中空の突出壁部３Ａの構築後で、前記防水パン５１と配管部５２との接続を行うことができ、突出壁部３Ａの構築中に防水パン５１と配管部５２との接続を行う必要がなく、その接続作業を容易に行うことができる。
また、配管部５２は、突出壁部３Ａの中空部分に配置されているので、前記防水パン５１からの排水を、前記突出壁部３Ａ内を通して下方に案内することができるとともに、配管部５２は外部に露出することがないので、突出壁部３Ａを意匠的にも優れたフラワーボックスとして用いることができる。
【００１７】
請求項６記載の発明は、請求項５記載の玄関上部分の外壁構造において、例えば、図１１に示すように、
突出壁部（例えばフラワーボックス３Ａ）の外面には所定間隔を空けて外装材を取り付けるための胴縁６１が取り付けられ、
前記作業口３１５は、前記胴縁６１と略同じ厚みを有する閉塞部材（例えば合板６２）により閉塞されていることを特徴とする。
【００１８】
請求項６記載の発明によれば、突出壁部３Ａの外面には所定間隔を空けて外装材を取り付けるための胴縁６１が取り付けられ、前記作業口３１５は、前記胴縁６１と略同じ厚みを有する閉塞部材（例えば合板６２）により閉塞されているので、前記閉塞部材６２は、前記突出壁部３Ａ内での防水パン５１と配管部５２との接続作業の後、前記作業口３１５を閉塞することができるととともに、この閉塞部材６２を胴縁として機能させ、胴縁６１とともに、上面に外装材を取り付けることで前記突出壁部３Ａの外面を仕上げることができる。
【００１９】
請求項７記載の発明は、例えば図４に示すように、
建物１の外壁１０の一部を窪ませて玄関１１が形成され、
玄関上部分の外壁１０ａに、該玄関上部分の外壁１０ａより前方に突出して、上下に連続する水平断面略コ字状の本体部４を有する突出壁部３を取り付ける玄関上部分の外壁１０ａの施工方法であって、
前記玄関上部分の外壁１０ａに、先端部に上方に開口する切欠部４７，４７が形成された一対の側壁部４２，４３を、前方に突出するように横方向に互いに離間し且つ対向した状態で接合し、
次いで、これら一対の側壁部４２，４３の先端部間に、上部両端部に側方に突出する突出片９，９を有する前壁部４１を、前記突出片９，９を前記先端部上部に形成された切欠部４７，４７内に掛止させ、その表面を前記玄関上部分の外壁面と略平行にして配置し、
次いで、これら側壁部４２，４３と前壁部４１とを接合することで水平断面視略コ字状の前記本体部４を形成し、
次いで、形成された本体部４の下端部に軒天材６を取り付けることを特徴とする。
【００２０】
請求項７記載の発明によれば、外壁１０の一部を後退させて形成された凹状の玄関１１を有する建物１の玄関上部分の外壁１０ａに、該玄関上部分の外壁１０ａより前方に突出して、先端部に上方に開口する切欠部４７，４７が形成された一対の側壁部４２，４３を、横方向に互いに離間し且つ対向した状態で接合し、次いで、これら一対の側壁部４２，４３の先端部間に、上部両端部に側方に突出する突出片９，９を有する前壁部４１を、前記突出片９，９を前記先端部上部に形成された切欠部４７，４７内に掛止させ、その表面を前記玄関上部分の外壁の外壁面と略平行にして配置し、次いで、これら側壁部４２，４３と前壁部４１とを接合することで前記本体部４を形成し、次いで、形成された本体部４の下端部に軒天材６を取り付けることで、前記突出壁部４を前記玄関上部分の外壁１０ａに設けることができ、この突出壁部４により、凹状の玄関１１を有する建物１をその建物躯体を変更することなく玄関１１の窪みの度合いを大きくして、建物自体にボリューム感を持たせ、より高級感を有し、重厚な外観を備えた建物とすることができる。
【００２１】
【発明の実施の形態】
以下、図を参照して本発明の実施の形態を詳細に説明する。
〔第１の実施の形態〕
図１及び図２（ａ）に示す建物１には、外壁１０の一部である一階部分の外壁を窪ませることで前方に開口する凹状の玄関１１が形成されている。この凹状の玄関１１を画成する奧側の壁１２には玄関扉２１が取り付けれる。そして、この凹状の玄関１１上の外壁部分（玄関上部分の外壁）１０ａに、該外壁部分１０ａより前方に突出して、外壁部分１０ａをふかす突出壁部３が設けられている。なお、奧側の壁１２は玄関内空間１１ｆを仕切るものであり、この玄関内空間１１ｆの上部は上階の床１８で仕切られ、玄関内空間１１ｆ上には上階の居室２３と同床レベルの収納室２４が配置されている。さらに、この収納室２４は上部を屋根裏居室２７の床となるサブ床２６で仕切られている。
【００２２】
この突出壁部３は上下に連続する水平断面略コ字状の本体部４を有するとともに、本体部４の上部に取り付けられ、本体部４の下面に取り付けられ、下端の開口部４ｂとを閉塞する軒天材６とを備えた略箱状に形成されてなる。そして、この突出壁部３の本体部４の上端開口部４ａは、図１及び図２に示すように、屋根パネルよりなる屋根の軒下に入り込むように配置され、屋根の軒先部分５及び、屋根下軒天材８により覆われるものである。屋根下軒天材８は、屋根５の軒先と本体部４の前面（詳細には、前壁部４１の表面の上部）との間に略水平に架設されている。
【００２３】
前記本体部４は、外壁部分１０ａの外壁面と略平行な表面を有する前壁部４１と、この前壁部４１の左右両側辺部４１ａ，４１ｂのそれぞれに先端部４２ａ，４３ａが略直交して接合されるとともに、基端部４２ｂ，４３ｂが前記外壁部分１０ａの外壁面に接合された側壁部４２，４３とを有する。
【００２４】
前壁部４１は、縦横の框材を矩形枠状に組むことなる枠体の表裏面に面材が設けられた長尺の壁パネルを並べて接合することでなる略矩形状のパネル体４１０と、このパネル体４１０の上下辺部に沿って接合された略水平の上下横桟材４１１，４１２などとを備える。
上横桟材４１１は、パネル体４１０の横幅よりも長く形成され、詳細には、パネル体４１０両側端面からそれぞれ水平方向に側壁部４２，４３の厚みの長さ分突出した状態で取り付けられている。この上横桟材４１１のパネル体４１０から側方に突出した部分で突出片９，９が形成されている。
また、下横桟材４１２の長さは、パネル体４１０の横幅と略同じ長さものとなっている。
【００２５】
側壁部４２，４３は、それぞれ上下に延在する矩形板状をなし、同形状で且つ同様に形成されてなる。
側壁部４２，４３は、縦横の框材を矩形枠状に組むことでなる枠体の表裏面に面材が設けられた長尺の壁パネル４２１，４３１と、この壁パネル４２１，４３１の上下辺部にそれぞれ取り付けられた上下横桟材４２２，４２３，４３２，４３３と、壁パネル４２１，４３１の一側端部（先端側の端面）に取り付けられた縦桟材４２４，４３４等とを備える。
【００２６】
上横桟材４２２，４３２はそれぞれ壁パネル４２１，４３１の横の長さ、つまり、外壁部分１０ａから突出する長さよりも短いものであり、壁パネル４２１，４３１の上端面において端面を基端に合わせ、壁パネル４２１，４３１の先端部分までには至らないように取り付けられている。つまり、側壁部４２，４３の先端部分の上面が切り欠かれた形状となっており、上横桟材４２２，４３２の厚みと先端面、壁パネルの上面及び縦桟材４２４，４３４の上端面とで切欠部４７，４７を形成している。
この切欠部４７，４７に、前壁部４１の上横桟材４１１の両端部からなる突出部分を係合させる（図３参照）ことで、前壁部４１は側壁部４２に対し略直交して水平断面略コ字状となるように接合されている。また、前壁部４１及び側壁部４２，４３の上下面はそれぞれ略面一となっている。
【００２７】
また、側壁部４２，４３は、それぞれ基端部の上部分で壁パネル４２１，４３１内に挿通されたボルトナット７により外壁部分１０ａに止着されている（図２（ｂ）参照）。
これらボルトナット７は、側壁部４２，４３の壁パネル４２１，４３１の屋外側の面材に、外壁部分１０ａ側の上隅部に内部と連通するように形成されたボルト締め穴４４を介して止着されている（図２（ｂ）では、側壁部４２の開口部のみ図示）。
【００２８】
次に、この突出壁部３を建物躯体に取り付ける方法について説明する。
まず、突出壁部が取り付けられる外壁部分を有する屋根下の構造体を構築する。この屋根下の構造体は、予め工場等において組み立てられた矩形板状の床パネル、壁パネル、屋根パネルのうち屋根パネル及び壁パネルを現場において組み立てることでなる。
【００２９】
先ず、基礎１６（図２参照）上に１階床パネル１７を敷き、１階床パネル１７より突出するアンカーボルトを１階外壁パネルの下端桟材に設けられたボルト通し孔に挿入させて、１階床パネル１７上に１階外壁パネルを立設させて、外壁面の一部を窪ませた形状の凹状の玄関１１を備えた１階外壁を形成する。なお、この外壁パネルの立設作業とともに、１階間仕切壁も立設させることは言うまでもない。次に、外壁や内壁等の１階壁パネル上に２階床パネル１８を敷き、２階壁パネル１９を胴差ボルトを介して２階床パネル１８上に立設させる。
【００３０】
次いで、２階の外壁部分まで構築された建物躯体において、図４に示すように、１階部分の玄関１１となる凹部の上の外壁部分１０ａに、まず、一対の側壁部４２，４３をクレーン等で吊り上げて凹状の玄関１１の両側辺部の上に、該両側片部の略延長線上に位置するように配置し、ボルト締め穴４４を介してボルトナット７により外壁部分１０ａに連結する。また、側壁部４２はボルトナット７の締結とともに、側壁部４２，４３の基端部（図２（ｂ）では側壁部４２の基端部４２ｂのみ図示）の端面に接着剤を塗布し、外壁部分１０ａの外壁面に当接させるとともに釘打ち等でも固定する。
【００３１】
次いで、前壁部４１を吊り上げ治具７７を介してクレーン等で吊り上げて、外壁部分１０ａから前方に突出した状態で取り付けられた側壁部４２の先端部間に略上方から挿入していくとともに、図５に示すように、前壁部４１の突出片９，９を、側壁部４２の切欠部４７，４７にそれぞれ掛止させて側壁部間に配置する。その際、前壁部４１の配置位置は、突出片９，９を、一対の側壁部４２，４３の先端部の上面に載置させて、突出片９の裏面９ａを切欠部４７，４７を形成する上横桟材４２２，４３２の先端面（図５では上横桟材４２２の先端面４２２ａのみ図示）に当接させることで、側壁部４２間における前壁部４１の配置位置の位置決めが行われる。よって、前壁部４１は、側壁部４２，４３間に配置された際に、突出片９，９とこれらを受ける切欠部４７，４７とを介して側壁部４２に支持された状態で位置決めされた状態で配置される。
【００３２】
そして、この後、前壁部４１を側壁部４２，４３に釘、接着材等により結合し、略水平断面コ字状のものとする。この接合作業では、前壁部４１は側壁部４２間で、これら側壁部４２，４３に安定して支持された状態で配置されているので、容易に行うことができるものとなっている。
その後、２階壁パネル上に屋根パネルを敷設することによって所定のモジュールに基づいた住宅が構築される。そして、取り付けられた屋根パネルよりなる屋根の軒先端部から突出壁部３の前面の上端縁までを屋根軒天材８で閉塞するとともに、軒天材６も突出壁部３の下端の開口部３ｂに取り付ける。
【００３３】
建物１における玄関上部分の外壁構造によれば、外壁１０の一部を窪ませて形成された玄関１１上部分の外壁１０ａに、該玄関上部分の外壁１０ａより前方に突出して内側が中空の突出壁部３が設けられているので、突出壁部３が外壁１０から突出している分、玄関１１上部分の外壁は、前方にふかされた状態となり、玄関上の張り出した部分が延出された状態となる。
したがって、外壁１０の一部を窪ませて形成された玄関１１上の前方に張り出した部分を、外壁１０ａに突出壁部３を設けるだけで、玄関上の建物躯体部分の仕様を何ら変更することなく大きくすることができ、これにより、建物躯体部分の仕様変更の際のコストを掛けず、玄関上の前方に張り出した部分、つまり、玄関の上面を構成する部分を大きくして、外壁から一層奥まった箇所に玄関を配置させた状態にすることができ、建物自体のボリューム感を持たせ、一層の高級感を有し、重厚な外観を備えた建物とすることができる。
また凹状の玄関１１上の外壁部分１０ａから前方に突出する突出壁部３では、水平断面略コ字状の本体部４の上下端の開口部４ａ、４ｂが、それぞれ軒先５及び屋根下軒天材８、軒天材６とで塞がれた状態となっているので、突出壁部３の突出分、玄関部分における日差しや雨よけの機能を有するものとなる。
【００３４】
［第２の実施の形態］
図６〜図１１を用いて、第２の実施の形態の玄関上部分の外壁構造を示す。
図６及び図７に示す第２の実施の形態の玄関上部分の外壁構造は、第１の実施の形態における突出壁部をフラワーボックス３Ａとして用い、外壁の一部を後退させて形成された凹状の玄関１１Ａを備えた建物１Ａにおいて、この玄関上の外壁部分１０ｂに取り付けたものである。以下では、第１の実施の形態と同様の構成については、同符号を付してその説明を省き、異なる構成のみ説明を行う。  図６及び図７に示す建物１Ａは、予め工場等において組み立てられた矩形板状の床パネル、壁パネル、屋根パネルを現場において組み立てることでなる。
【００３５】
図６及び図７に示す建物１Ａは、外壁１０Ａの一部を窪ませて玄関１１Ａが形成され、この玄関１１Ａ上の外壁部分（外壁１０Ａの玄関上部分の外壁）１０ｂに、該外壁部分１０ｂより前方に突出して、外壁部分１０ｂをふかすフラワーボックス３Ａが設けられている。
図６に示す建物１Ａの外壁１０Ａには、胴縁６３を介して外装材６５が取り付けられ、玄関１１を形成する奧側の壁１２Ａ（図７参照）には玄関扉２１Ａが取り付けられる。なお、奧側の壁１２Ａは、上述した建物１と同様に、玄関内空間１１ｃを仕切るものであり、この玄関内空間１１ｃの上部は上階の床１８Ａで仕切られ、玄関内空間１１ｃ上には上階の居室２３Ａと同床レベルの収納室２４Ａが配置されている。さらに、この収納室２４Ａは上部を屋根裏居室２７Ａの床となるサブ床２６Ａで仕切られている。この屋根裏部屋２７Ａを仕切る２階の外壁１０Ａには、フラワーボックス３Ａの上方で開口する開口部１５が設けられている。
【００３６】
このフラワーボックス３Ａは、上下に連続する水平断面略コ字状の本体部３０を有するとともに、本体部３０の上縁部に取り付けられ、本体部３０の上端開口部３ａを閉塞する防水パン５１と、本体部３０の下面に取り付けられ、下端の開口部３ｂとを閉塞する軒天材６Ａとを備えた略箱状に形成されてなり、内部に防水パン５１に接続された配管部５２が配置されている。
【００３７】
本体部３０は、上述した本体部４と略同様に形成されてなる。つまり、本体部３０は、外壁部分１０ｂの外壁面と略平行な表面を有する前壁部３１と、この前壁部３１の左右両側辺部３１ａ，３１ｂのそれぞれに先端部３２ａ，３３ａが略直交して接合されるとともに、基端部３２ｂが前記外壁部分１０ｂの外壁面に接合された側壁部３２，３３とを有する。
【００３８】
前壁部３１は、上述した壁パネルと寸法のみ異なり略同様に構成された長尺の壁パネルを並べて接合し、前面側の上部に表裏面を挿通する作業口３１５が形成された略矩形状のパネル体３１０と、このパネル体３１０の上下辺部に沿って接合された略水平の上横桟材３１１，下横桟材（図示省略）などとを備える。
上横桟材３１１は、上述した上横桟材４１１と同様、パネル体３１０の横幅よりも長く形成され、詳細には、パネル体３１０両側端面からそれぞれ水平方向に側壁部３２の厚みの長さ分突出した状態で取り付けられ、後述する切欠部３７に掛止される突出片９Ａ，９Ａを構成している。また、下横桟材は、上述した下横桟材４１２と同様に、パネル体３１０の横幅と略同じ長さものとなっている。
作業口３１５は、前壁部３１の外側から前壁部３１の裏面側、つまりフラワーボックス３Ａの中空部分内での作業可能とするためのものである。
【００３９】
側壁部３２，３３は、上述した側壁部４２，４３と上下長さのみ異なりその他構成は略同一である。つまり、これら側壁部３２，３３は互いに対向して配置され、それぞれ上下に延在する矩形板状をなし、同形状で且つ同様に形成され、長尺の壁パネルの上下辺部及び一側端部のそれぞれに上横桟材３２２、３３２、図示しない、下横桟材及び縦桟材がそれぞれ取り付けられてなる。
【００４０】
そして、上横桟材３２２，３３２はそれぞれ壁パネルの横の長さ、つまり、外壁部分１０ｂから突出する長さよりも短いものとなっており、これにより、側壁部３２，３３の先端部上面には、上横桟材３２２，３３２の厚みと先端面、壁パネルの上面及び図示しない縦桟材の上端面とで切り欠かれた形状の切欠部３７，３７を形成している。この切欠部３７，３７に前壁部３１の上横桟材３１１の両端部からなる突出部分（突出片９Ａ、９Ａ）を掛止させることで、前壁部３１は側壁部３２に対し略直交して水平断面略コ字状となるように支持されるとともに接合されている。また、前壁部３１及び側壁部３２の上下面はそれぞれ略面一となっている。
【００４１】
また、側壁部３２，３３は、側壁部４２，４３と同様に、基端部の上部分で壁パネル内に挿通されたボルトナット７により外壁部分１０ｂに止着されている。これらボルトナット７の止着作業は、側壁部３２，３３の壁パネル３２１，３３１の屋外側の面材に、外壁部分１０ｂ側の上隅部に内部と連通するように形成されたボルト締め穴４４を介して止着されている（図８では、側壁部３２のボルト締め穴のみ図示）。
【００４２】
防水パン５１は、図９（ａ）に示すように、前壁部３１及び側壁部３２，３３よりなる平面視略コ字状の本体部３０の上部開口を閉塞するように、本体部３０の上端開口部（上端部）３ａに内嵌されて取り付けられ、防水パン５１の底板の中央部には、ドレン部５１ｂが形成され、このドレン部の下面に配水部の上端部を接続して、防水パン５１の内部と配管部５２とは連通したものとなっている。なお、この防水パン５１のドレン部の下面と、配管部５２の上端部との接続部分は、フラワーボックス３Ａの前壁部３１に形成された作業口３１５と略同じ高さ位置となっており、作業口３１５を介して外部に臨むものである。つまり、図９（ｂ）に示すように、この作業口３１５を介して、防水パン５１と配管部５２とを接続可能となっている。
【００４３】
配管部５２は、図７及び図９（ａ）に示すように、防水パン５１から建物外部への排水を行うためのものであり、ドレン部下面に接続されるとともに配管部５２の上端部を構成する上ソケット５２ａ、上ソケット５２ａに接続されたエルボ管５２ｂ、エルボ管５２ｂに接続され、水平方向に延在する水平直管５２ｃ、水平直管５２ｃにエルボ管５２ｄを介して接続され略鉛直方向に延在する長尺の直管５２ｅなどとから構成され、長尺の直管５２ｅの下端部は、フラワーボックス３Ａの下端から下方に突出して、図示しない樋部に接続される。なお、この樋部は、フラワーボックス３Ａの下方から屈曲して水平に延在されて凹部内に入り、玄関扉２１Ａの前側で、さらに下方に屈曲され、玄関ポーチ近傍まで延在する形状を有するものとなっている。
【００４４】
このフラワーボックス３Ａを建物躯体に取り付ける方法は、上述した突出壁部３の取り付け方法と略同様のものである。
フラワーボックス３Ａが取り付けられる外壁部分を有する建物構造体を、予め工場等において組み立てられた矩形板状の床パネル、壁パネル、屋根パネルを現場において組み立てる。なお、この組立については上述した建物１と略同様であるので説明は省略する。
【００４５】
そして、このような各パネルを組み立てることで、１階部分の外壁の一部を後退させて形成された、玄関となる凹部を有する屋根下の建物躯体を構築する。
この実施の形態における建物１の外壁は、フラワーボックス３Ａが取り付けられる玄関上部分の外壁１０ｂを除いて、工場にて壁パネルを連接し、且つ、表面に胴縁を介して予め外装材６５が取り付けられた大型連結壁パネルを立設することで構築されている。
【００４６】
次いで、２階の外壁部分まで構築された建物躯体において、１階部分の玄関となる凹部の上で且つ開口部１５下の外壁部分１０ｂに、上述した突出壁部３の本体部と同様に、一対の側壁部３２をクレーン等で吊るし上げて、ボルト締め穴４４を介してボルトナット７により外壁部分１０ｂに連結し、これら側壁部３２の先端部間に略上方からクレーンで吊した前壁部３１を挿入していくとともに、前壁部３１の突出片９を、側壁部３２の切欠部３７，３７にそれぞれ掛止させて側壁部３２，３３間に配置する。
【００４７】
その際、前壁部３１の配置位置は、上述した突出壁部３と同様、突出片９Ａを切欠部３７，３７に嵌め込む、すなわち、突出片９Ａを、一対の側壁部３２，３２の先端部の切欠部を形成するパネルの上面に載置させるとともに、その側面を上横桟材３２２，３３２の端面に当接させることで、側壁部３２間における前壁部３１の配置位置の位置決めされた状態で配置することができる。
その後、各部３１〜３３を結合し、略水平断面コ字状の本体部３０を形成する。この両者の接合作業は、前壁部３１が側壁部３２，３３間でこれら側壁部３２，３２に安定して支持された状態で配置されていることから、容易に行うことができるものとなっている。
【００４８】
そして、水平断面略コ字状の本体部３０の上部に、防水パン５１を、本体部３０内部の中空部分を閉塞するように取り付け、その後、本体部３０の下端から内部に挿入された配管部５２を作業口３１５を介して防水パン５１のドレン部５１ｂ下面に接続する（図９（ｂ）参照）。
この作業口３１５は、前壁部３１に、ドレン部５１ｂ下面と配管部５２の上ソケット部との接続部分と略同じ高さ位置に形成されたものとなっているので、防水パン５１と配管部５２との接続を外方から確認しながら容易に接続することができる。
【００４９】
そして、図１０（ａ）に示すように、フラワーボックス３Ａの本体部３０の上縁部の外縁に沿って、防水テープ６６を貼り付けるとともに、平面視コ字状で且つ一体的に形成された笠木６７を被せて固定する。
この笠木６７は、図１０（ｂ）に示すように、笠木本体６７ａと笠木本体６７ａに下方に突出するように固定され、本体部３０の外面に取り付けられる取付ブラケット６７ｂとを有し、笠木本体６７ａを、防水パン５１の外側縁部５１ｃ上に貼り付けられた防水テープ６６の上から、本体部３０の上縁部及び防水パン５１の上縁部に被せ、取付ブラケット６７ｂを本体部３０の外面に密着させて木ねじなどに止着材６８を介して止着する。なお、ブラケット６７ｂを取り付ける際に、本体部３０との間に隙間が生じる場合は、適宜パッキン材６９を介在させて対応する。
【００５０】
その後、本体部３０の下端部に軒天材６Ａを取り付けたり、２階壁パネル上に屋根パネルを敷設することによって所定のモジュールに基づいた住宅が構築される。なお、軒天材６には配管部５２の下端が挿通される挿通孔を形成し、その挿通孔内に配管部５２の下端部を挿通させて、樋部に接合する。
なお、第２の実施の形態では、屋根パネルにより屋根を構築する前に、フラワーボックス３Ａを外壁部分１０ｂに取り付けた構成としたが、これに限らず、屋根を構築した後で、フラワーボックス３Ａを構築する工程としてもよい。
【００５１】
次いで、図１１に示すように、側壁部３２、３３及び前壁部３１の外面に所定間隔をあけて胴縁６１を取り付けるともに、該胴縁６１と同じ厚みの合板６２を作業口３１５の外方から取り付けて、作業口３１５を塞いで、外装材６４を取り付けることで外壁面を仕上げる。なお、この合板６２の幅は作業口３１５を閉塞する長さを有する。ここでは、前壁部３１の上部に横に並べて形成された４つの作業口３１５を全て一度に閉塞できるように、横長で且つ作業口の上下長さよりも若干長いものとして構成されている。
【００５２】
このように、外壁１０Ａの一部を窪ませることで凹状に形成された玄関１１Ａを有する建物１Ａにおいて、凹状の玄関１１Ａの上部分をさらに前方に延出させる際に、建物躯体自体を変更、ここでは、玄関１１Ａの上部に配置される上階床１８Ａ部分の長さを長くして玄関１１Ａとなる凹部の外壁面からの後退度合いを大きくする施工を行うことなく、フラワーボックス３Ａを玄関１１Ａ上の外壁部分１０ｂに、外壁部分１０ｂから前方に突出するように設けるだけで、玄関１１Ａが建物１の外壁から一層奥まった位置に設けられるような外観を有するものとなる。
【００５３】
これにより、建物１Ａ自体の変更のためのコストをかけずに、建物１Ａにおける玄関１１Ａ上部分を前方に突出させて、玄関１１Ａ部分が、外壁面より一層奥まった位置に配置させた状態とすることで、建物１Ａ自体にボリューム感を与え、より重厚な高級感を有する建物１Ａとすることができる。さらに、玄関上部分の外壁で突出するフラワーボックス３Ａにより、このフラワーボックス３Ａに花や草木を飾ることで高級感を有すると共に華やかさを備えた外観を備えたものとなる。
【００５４】
また凹状の玄関１１Ａ上の外壁部分１０ｂから前方に突出するフラワーボックス３Ａでは、水平断面略コ字状の本体部３０の上下端の開口部３ａ、３ｂが、それぞれ防水パン５１、軒天材６Ａとで塞がれた状態となっているので、フラワーボックス３Ａの突出分、玄関１１Ａ部分における日差しや雨よけの機能が向上された建物１Ａとなる。
【００５５】
なお、以上の実施の形態における配管部５２の形状はフラワーボックス３Ａ内に配置され、上部の防水パンからの排水を案内するものであれば、どのような形状のものとしてもよい。また、その取り付け方法も、作業口３１５を介して防水パン５１に上ソケット５２ａを取り付け、さらに、作業口３１５を介して、取り付けられた上ソケット５２ａにエルボ管５２ｂ等を取り付ける等、配管部５２を構成する部材を作業口３１５を介して逐次取り付けていくようにしてもよい。また前壁部３１において、作業口３１５の設けられる位置も、フラワーボックス３Ａの外側から配管部５２と防水パン５１との接続を可能とするものであれば、どのよな位置に設けられても良い。また、この作業口３１５は、側壁部３２，３３に設けられていても良い。また、建物躯体を構成する工法等も任意であり、外壁の一部を後退させて形成された凹状の玄関を備えた建物であれば、どのような工法で構築されたものでもよい。その他、具体的な構成等についても適宜に変更可能であることは勿論である。
【００５６】
【発明の効果】
請求項１記載の発明によれば、建物の外壁の一部を窪ませて形成された玄関上部分の外壁に、該玄関上部分の外壁より前方に突出して内側が中空の突出壁部３が設けられているので、前記突出壁部３が前記外壁から突出している分、前記玄関の上部が延出されたものとなり、外壁の一部を窪ませて形成された玄関を備える建物において、前記玄関上の前方に張り出した部分を、前記外壁に前記突出壁部３を設けるだけで、玄関上の建物躯体部分の仕様を何ら変更することなく大きくすることができる。
したがって、建物躯体部分の仕様を変更しないので、仕様変更の際のコストをかけずに前記玄関上の前方に張り出した部分を大きくして建物自体のボリューム感を持たせ、一層の高級感を有し、重厚な外観を備えた建物とすることができる。
【００５７】
請求項２記載の発明によれば、請求項１記載の発明と同様の効果を得ることができるとともに、前記突出壁部を構築する際には、前記一対の側壁部を玄関上部分の外壁に取り付けた後、前記一対の側壁部の被掛止部に前記前壁部の掛止部９を掛止させるだけで前壁部を前記一対の側壁部に支持させることができる。
【００５８】
請求項３記載の発明によれば、請求項２記載の発明と同様の効果を得ることができるとともに、前記前壁部の両端部には、上部両端からそれぞれ側方に突出して形成された突出片が形成され、前記一対の側壁部は、前記側壁部の先端部の上面を上方から切り欠かれた形状をなす切欠部が形成され、前記突出片は前記切欠部に嵌め込まれることで掛止されているので、前記前壁部は前記一対の側壁部に、前記突出片を前記切欠部に嵌め込むことで前記一対の側壁部に支持された状態となる。つまり、前記玄関上部分の外壁に一対の側壁部を取り付け、これら一対の側壁部の先端部間に前記前壁部を配置する際に前記突出片を前記切欠部に嵌め込むことで前記前壁部を前記一対の側壁部に位置決めされた状態で支持させることができ、前記前壁部を前記一対の側壁部間にて正確な箇所に配置して支持させることができる。
【００５９】
請求項４記載の発明によれば、請求項１〜３のいずれか一項に記載の発明と同様の効果を得ることができるとともに、前記突出壁部の上端部には、防水パン５が取り付けられているので、防水パンの内側に花瓶、鉢物、プランターなどを配置することで前記突出壁部をフラワーボックスとして用いることができ、建物自体を変更するためのコストをかけることなく、質感のある重厚な外観を有するものにすることができるとともに、上端部の防水パンに花等が植えられた花瓶、鉢物、プランターを飾ることで華やかな外観を有するものにすることができる。
【００６０】
請求項５記載の発明によれば、請求項４記載の発明と同様の効果を得ることができるとともに、突出壁部の中空部分には、前記防水パンに接続される配管部が配置され、前記突出壁部には前記中空部分と前記突出壁部の外側とを連通し、前記突出壁部の外側から前記防水パンと配管部との接続を可能とする作業口が形成されているので、前記突出壁部に取り付けられた防水パンと該防水パンに接続される配管部とを前記作業口を介して、前記突出壁部の外側から接続することができる。したがって、内側が中空の突出壁部の構築後で、前記防水パンと配管部との接続を行うことができ、突出壁部の構築中に防水パンと配管部との接続を行う必要がなく、その接続作業を容易に行うことができる。
また、配管部は、突出壁部３の中空部分に配置されているので、前記防水パンからの排水を、前記突出壁部３内を通して下方に案内することができるとともに、配管部は外部に露出することがないので、突出壁部を意匠的にも優れたフラワーボックスとして用いることができる。
【００６１】
請求項６記載の発明によれば、請求項５記載の発明と同様の効果を得ることができるとともに、突出壁部３の外面には所定間隔を空けて外装材を取り付けるための胴縁が取り付けられ、前記作業口は、前記胴縁と略同じ厚みを有する閉塞部材により閉塞されているので、前記閉塞部材は、前記突出壁部内での防水パンと配管部との接続作業の後、前記作業口を閉塞することができるととともに、この閉塞部材を胴縁として機能させ、胴縁とともに、上面に外装材を取り付けることで前記突出壁部の外面を仕上げることができる。
【００６２】
請求項７記載の発明によれば、外壁の一部を後退させて形成された凹状の玄関を有する建物をその建物躯体を変更することなく玄関の後退の度合いを大きくして、建物自体にボリューム感を持たせ、より高級感を有し、重厚な外観を備えた建物とすることができる。
【図面の簡単な説明】
【図１】本発明を適用した第１の実施の形態における玄関上部分の外壁構造の構成を示す図である。
【図２】同玄関上部分の外壁構造を示す図であり（ａ）は同外壁構造の概略縦断面図であり、（ｂ）は（ａ）に示す突出壁部と外壁部分との接合状態を示す図である。
【図３】図１に示す突出壁部における側壁部と前壁部との接合部分の拡大図である。
【図４】図１に示す突出壁部を建物躯体に取り付ける状態を示す図である。
【図５】前壁部の突出片が掛止される側壁部の切欠部を示す図である。
【図６】本発明を適用した第２の実施の形態における玄関上部分の外壁構造の構成を示す図である。
【図７】同玄関上部分の外壁構造の概略縦断面図である。
【図８】図７に示すフラワーボックスと外壁部分との接合状態を示す図である。
【図９】フラワーボックス内に配置された配管部を示す図であり、（ａ）はフラワーボックスの概略正面図、（ｂ）はフラワーボックス内にて防水パンに配管部を取り付ける工程を示す図である。
【図１０】仕上げられたフラワーボックスの上端開口部を示す図であり、（ａ）はフラワーボックスの上端部に取り付けられる笠木を示す図であり、（ｂ）は笠木が取り付けられたフラワーボックスの上端部の概略縦断面図である。
【図１１】図６に示すフラワーボックスを備えた建物の外壁を仕上げる工程を示す図である。
【符号の説明】
１、１Ａ  建物
３        突出壁部
３ａ      上端開口部（上縁部）
３Ａ      フラワーボックス（突出壁部）
４、３０        本体部
６、６Ａ  軒天材
９、９Ａ  突出片（掛止部）
１０、１０Ａ      外壁
１０ａ、１０ｂ      外壁部分（玄関上部分の外壁）
１１、１１Ａ      玄関
３１、４１      前壁部
３１ａ、４１ａ      左側辺部
３１ｂ、４１ｂ      右側辺部
３２、４２      側壁部
３２ａ、４２ａ      先端部
３２ｂ、４２ｂ      基端部
３３、４３      側壁部
３７、４７    切欠部（被掛止部）
５１      防水パン
５１ｂ      ドレン部
５２      配管部
６１      胴縁
６２      合板（閉塞部材）
３１５      作業口
【図１】
2004169421.tif 000003
【図２】
2004169421.tif 000004
【図３】
2004169421.tif 000005
【図４】
2004169421.tif 000006
【図５】
2004169421.tif 000007
【図６】
2004169421.tif 000008
【図７】
2004169421.tif 000009
【図８】
2004169421.tif 000010
【図９】
2004169421.tif 000011
【図１０】
2004169421.tif 000012
【図１１】
2004169421.tif 000013